(57)【要約】本発明の方法は、ＭＳＣ（１０１）が呼出しに対する要求を受取ること（２０１）を含んでいる。周辺装置のインタラクションが呼出しの際に起こっていないことを示す呼出しルーティング要求が、ＨＬＲすなわちホーム位置レジスタ（１０７）に送られる（２０３）。ＭＳＣは、周辺装置（１０９）に呼出しを向ける呼出しルーティング命令を受取る（２０５）。その呼出しは周辺装置（１０９）にルーティングされる（２１１）。周辺装置（１０９）は呼出しに対する機能を実行し（２１３）、呼出しをＭＳＣへ送る（２１５）。呼出しルーティング命令を要求し、周辺装置を識別するメッセージがＨＬＲに送られる（２０３）。
2004503155.tif 000002
【特許請求の範囲】
【請求項１】
移動交換局（ＭＳＣ）により、呼出しの要求を受取るステップと；
呼出しの際に周辺装置インタラクションが起こっていないことを示す呼出しルーティング要求をホーム位置レジスタ（ＨＬＲ）に送るステップと；
ＭＳＣにより、周辺装置に呼出しを向ける呼出しルーティング命令を受取るステップと；
呼出しを周辺装置にルーティングするステップと；からなる方法。
【請求項２】
周辺装置により、呼出しに対する機能を実行するステップと；
呼出しをＭＳＣにルーティングするステップと；
呼出しルーティング命令を要求すると共に周辺装置を識別するメッセージをＨＬＲに送るステップと；をさらに含む請求項１に記載の方法。
【請求項３】
ＭＳＣにより、呼出しを完了させるように指示する呼出しルーティング命令を受取るステップと；
呼出しを完了するよう呼出しをルーティングするステップと；をさらに含む請求項１に記載の方法。
【請求項４】
ＭＳＣにより、第２の周辺装置に呼出しを向ける呼出しルーティング命令を受取るステップと；
第２の周辺装置に呼出しをルーティングするステップと；
第２の周辺装置により、呼出しに対する機能を実行するステップと；
ＭＳＣに呼出しをルーティングするステップと；
呼出しルーティング命令を要求すると共に第２の周辺装置を識別するメッセージをＨＬＲに送るステップと；をさらに含む請求項１に記載の方法。
【請求項５】
呼出しルーティング命令を要求するメッセージの受取に際して、ＨＬＲにより、呼出しに関して起こった周辺装置インタラクションに基づいてどのような呼出しルーティング命令が送られるべきかを決定するステップをさらに含む請求項１に記載の方法。
【請求項６】
さらなる周辺装置インタラクションが呼出しに関して起こってはならないことを示す呼出しルーティング命令を要求するステップをさらに含む請求項１に記載の方法。
【請求項７】
さらなる周辺装置インタラクションの欠如を示す呼出しルーティング命令を要求するメッセージの受取に際して、呼出しに関するすべての後続する周辺装置インタラクションを省略できるどのような呼出しルーティング命令が送られるべきかを決定するステップをさらに含む請求項６に記載の方法。
【請求項８】
呼出しに関する第１の周辺装置インタラクションを示す第１の呼出しルーティング要求を受取るステップと；
呼出しに関して示された周辺装置インタラクションに基づいて、第１の周辺装置に呼出しを向ける呼出しルーティング命令を決定するステップと；から成る方法。
【請求項９】
呼出しに関する第２の周辺装置インタラクションおよび呼出しに関するさらなる周辺装置インタラクションの欠如のうちの一つを示す第２の呼出しルーティング要求を受取るステップをさらに含む請求項８に記載の方法。
【請求項１０】
呼出しに関する第１の周辺装置インタラクションの表示は、第１の周辺装置の識別を含む請求項８に記載の方法。
【発明の詳細な説明】
【０００１】
（発明の属する技術分野）
本発明は通信システム中の周辺装置に関する呼出しを含むがそれに制限されない通信システムに関する。
【０００２】
（発明の背景）
通信システムは一般に、複数の基地局、コントローラ、ホーム位置レジスタ（ＨＬＲ）、および移動交換局（ＭＳＣ）（基地局の対応するサービス適用範囲にある通信ユニットに通信サービスを供給する）を含むインフラストラクチュアを備えていることがよく知られている。そのような通信システムの１例はセルラー方式通信システムである。セルラーシステムでは、通信を希望する遠隔ユニット（例えば移動式または携帯式無線電話機）が、遠隔ユニットが位置する適用範囲にサービスを供給する基地局にチャネル要求メッセージを送る。チャネル要求メッセージを受取る際、セルラーシステムのインフラストラクチュアは通信用の通信チャネルを割り当て、遠隔ユニットはサービスを供給する基地局を介して電話機回路網加入者や別の遠隔ユニットと通信し始める。通常、基地局と遠隔局との間の多重アクセス無線通信は、音声、データおよび映像のような通信信号を送信するパスを提供する無線周波数（ＲＦ）チャネルを介して起こる。
【０００３】
幾つか例を挙げると、プリペイド携帯サービス、メニュー方式の情報抽出、選択的な呼出し受入れ、音声認識および電話盗聴等の呼出しに望ましい特徴を提供するために、通信システムに周辺装置が加えられることがある。遠隔ユニットへのまたは遠隔ユニットからの呼出しは、自身の機能を実行した後で呼出しが進行するようにその呼出しをＭＳＣに転送する周辺装置に向けられ得る。周辺装置に関する呼出しのルーティングの制御は、通常、ＭＳＣによって検出される発信トリガと終了トリガを介してＨＬＲにより実行される。トリガが検出されると、ＭＳＣは通常、ＡＮＳＩ−４１標準演算の実行によりＨＬＲに通知する。ＨＬＲは、遠隔ユニットのサービスプロフィールから、周辺サービスを呼出しすべきことを決定し、周辺装置のためのルーティング命令をＭＳＣに戻す。
【０００４】
ＡＮＳＩ−４１は、１つのＴＣＡＰ（トランザクション機能応用部）トランザクションとしてトリガ検出と呼出しルーティング決定へのＨＬＲの関与のために使用される演算を定義する。つまり、トランザクションはヒストリを記録せずに起こる。ＴＣＡＰは当該技術分野においてよく知られているように、信号方式７番での使用のために定義されたトランザクション指向のプロトコルである。１つの周辺装置だけにルーティングされる必要のある呼出しについては、１つのＴＣＡＰトランザクションで十分である。呼出しに対して１つ以上の周辺装置に関するトランザクションを提供しなければならない場合、ＨＬＲはどの周辺装置が呼び出されているか（そのような周辺装置があるとすれば）ということやどの周辺装置が次に呼び出されるかということを知る手立てがないので、ＨＬＲによって使用されるＴＣＡＰトランザクション演算が１つだと問題が生じる。現在のＡＮＳＩ−４１演算が仮に１つ以上の異なる周辺装置を呼び出すために使用されるとすれば、呼出しはおそらく、呼出しに関する最初の周辺装置にアクセスしようとする無限ループになってしまうだろう。
従って、呼出しの完了に先立って１つ以上の周辺装置への呼出しをルーティングする方法が必要とされている。
【０００５】
（好ましい実施形態の説明）
以下、１つ以上の周辺装置へ呼出しをルーティングする装置および方法について説明する。呼出し周辺装置インタラクション（ゆえに特定の呼出しに対して周辺装置が完了する機能）を識別するために、および、どの周辺装置に次に呼出しをルーティングすべきかを識別するために、ＭＳＣとＨＬＲ間のメッセージには周辺サービス識別子（ＰＳＩ）が含まれている。この方法では、いかなる数の周辺装置も、呼出しにうまくアクセスできる。
【０００６】
本発明の方法は、ＭＳＣが呼出しに対する要求を受取るステップと；呼出しの際に周辺装置インタラクションが起こっていないことを示す呼出しルーティング要求をホーム位置レジスタ（ＨＬＲ）に送るステップと；ＭＳＣが周辺装置に呼出しを向ける呼出しルーティング命令を受取るステップと；呼出しを周辺装置にルーティングするステップから成る。周辺装置は、呼出しに対する機能を実行し、ＭＳＣに呼出しをルーティングする。呼出しルーティング命令を要求すると共に周辺装置を識別するメッセージが、ＨＬＲへ送られる。上記方法はさらに、ＭＳＣが呼出しを完了させるように指示する呼出しルーティング命令を受取って、呼出しを完了するよう呼出しをルーティングするステップも含み得る。上記方法はさらに、ＭＳＣが第２の周辺装置に呼出しを向ける呼出しルーティング命令を受取って、第２の周辺装置に呼出しをルーティングするステップも含み得る。第２の周辺装置は、呼出しに対する機能を実行し、呼出しをＭＳＣに送る。呼出しルーティング命令を要求すると共に第２の周辺装置を識別するメッセージが、ＨＬＲへ送られる。さらに、呼出しルーティング命令を要求するメッセージの受取に際して、ＨＬＲは、呼出しに関して起こる周辺装置インタラクションに基づいてどのような呼出しルーティング命令が送られるべきかを決定することができる。呼出しルーティング命令を要求するステップは、さらなる周辺装置インタラクションが呼出しに関して起こってはならないことを示すこともある。さらなる周辺装置インタラクションの欠如を示す呼出しルーティング命令を要求するメッセージの受取に際して、呼出しに関するすべての後続する周辺装置インタラクションを省略できるどのような呼出しルーティング命令が送られるべきかが決定される。
【０００７】
本発明に従ってＨＬＲにより実行される方法は、呼出しに対する第１の周辺装置インタラクションを示し呼出しに関する示された周辺装置インタラクションに基づく第１の呼出しルーティング要求を受取り、周辺装置に呼出しを向ける呼出しルーティング命令を決定するステップを含む。呼出しに対する第２の周辺装置インタラクションを示すと共に呼出しに関する周辺装置インタラクションがそれ以上ないことを示す第２の呼出しルーティング要求が受取られてもよい。呼出しに対する第１の周辺装置インタラクションの表示は、第１の周辺装置の識別を含み得る。呼出しに対する第１の周辺装置インタラクションの表示は、呼出しに際して活動中の周辺装置がないという通知を含み得る。第１の周辺装置インタラクションの表示は、呼出しに関するそれ以上の周辺装置インタラクションが省略されるという命令を含み得る。
【０００８】
本発明に従って移動交換局（ＭＳＣ）によって実行される方法は、呼出しに対する要求を受取るステップと；呼出しの際に周辺装置インタラクションが起こっていないことを示す呼出しルーティング要求をＨＬＲに転送するステップと；周辺装置に呼出しを向ける呼出しルーティング命令を受取るステップと；呼出しを周辺装置にルーティングするステップと；ひとたび呼出しがＭＳＣに戻されたら、呼出しルーティング命令を要求すると共に周辺装置を識別するメッセージをＨＬＲに送るステップから成る。上記方法はさらに、ＭＳＣが呼出しを完了させるように指示する呼出しルーティング命令を受取って、呼出しを完了するよう呼出しをルーティングするステップも含み得る。上記方法はさらに、第２の周辺装置に呼出しを向ける呼出しルーティング命令を受取るステップと；第２の周辺装置に呼出しをルーティングするステップと；第２の周辺装置により呼出しに対する機能を実行するステップと；ひとたび呼出しがＭＳＣに戻されたら、呼出しルーティング命令を要求すると共に第２の周辺装置を識別するメッセージを送るステップも含み得る。上記方法はさらに、呼出しに関するそれ以上の周辺装置インタラクションが省略されることを示す呼出しルーティング命令をＨＬＲに送るステップも含み得る。
【０００９】
図１に示されるように、ＭＳＣ１０１は、１つ以上の遠隔ユニット１０３、公衆交換電話回線網（ＰＳＴＮ）１０５、ホーム位置レジスタ（ＨＬＲ）１０７、複数の周辺装置１０９，１１１，１１３に作用的に連結されている。好ましい実施形態では、ＭＳＣはモトローラ社より入手可能なＥＭＸ−Ｖである。ＭＳＣは通常、オーディオ回線交換、ダイヤル数字分析に基づく呼出しルーティング、呼出し進行処理、呼出し失敗処理、課金記録生成等の機能を行う。ＨＬＲはモトローラ社から入手可能なＨＬＲ４１型である。ＨＬＲは通常、移動式加入者プロフィール記録の記憶、移動式加入者システムアクセスの確認、トリガに基づく呼出し処理制御等の機能を実行する。周辺装置１０９，１１１，１１３には、音声認識、パスワード呼出しアクセス、選択的呼出し受入れ、メニュー方式相互作用、プリペイド携帯電話、電話盗聴等の機能を実行する装置が含まれる。３つの周辺装置のみを示しているが、本発明は任意の数の周辺装置を用いて首尾よく実行される。
【００１０】
複数の周辺装置に呼出しをルーティングする方法を示すフローチャートを図２が示される。ステップ２０１で、ＭＳＣ１０１は、遠隔ユニット１０３からまたは遠隔ユニット１０３への呼出しを要求するＰＳＴＮ１０５から呼出し要求を受取る。ＭＳＣはステップ２０３で、呼出しに対する周辺装置インタラクションと共に呼出しルーティング要求をＨＬＲに送る。そのようなプロセスを初めて完了するとき、すなわちステップ２０３がはじめて起こるとき、呼出しに対する周辺装置インタラクションは、以前には呼出しに対する周辺装置インタラクションが起こっていないことを示す。
【００１１】
好ましい実施形態では、周辺装置インタラクションが、周辺サービス識別子（ＰＳＩ）の具備によって示される。好ましい実施形態では、ＰＳＩはパラメータ識別子と、ＰＳＩを８ビット（シングルオクテット）パラメータとして定義する長さ識別子とを有している。好ましい実施形態では、ＰＳＩが追加の任意選択パラメータとして標準ＡＮＳＩ−４１メッセージに含まれる。好ましい実施形態では、個々の異なるＰＳＩが、ＭＳＣに周辺装置を取り付ける異なるＭＳＣトランク群と相互に関連する。トランク群は、同様の特性（例えばシグナリングの種類や接続している機器）が与えられた中継回線の論理的集合である。ＭＳＣ１０１は、発呼者番号で識別された加入者によって特定トランク群で受取られた任意の呼出しを遠隔ユニットの開始とみなし、遠隔ユニットの開始または終了に通常関連するトリガ検出処理を実行する。
【００１２】
一般に、ＰＳＩは、特定の呼出しに適するように、呼出しルーティング要求および／または呼出しルーティング命令と共に含まれている。好ましい実施形態では、ステップ２０３が初めて行われる時は、呼出し要求が受取られた直後であるため、周辺装置インタラクションは起こっていない。好ましい実施形態では、ステップ２０３が初めて行われる時にはＰＳＩは送られず、ＨＬＲはそのＰＳＩの欠如を以前には呼出しに対する周辺装置インタラクションが生じていないという表示として解釈する。代わりに、現在の呼出しに対しては以前の周辺装置インタラクションが生じていないことを示すために、ＰＳＩに１１１１１１１１や２５５のような数値を与えてもよい。任意選択で、ＭＳＣ１０１は、呼出しが周辺装置を通った後のＭＳＣの次の呼出しルーティング要求において、ＨＬＲの呼出しルーティング命令からＰＳＩを反映してもよい。このプロセスは、オペレータがＭＳＣ１０１でＰＳＩを設ける必要性を排除し、呼出しセットアップを簡単にする。
【００１３】
ステップ２０５において、ＨＬＲは、呼出しルーティング命令を決定すると共にＭＳＣに送信する。呼出しルーティング命令は呼出しを周辺装置１０９へ向け得る。ステップ２０７で呼出しが周辺装置に向けられない場合、プロセスはステップ２０９に続き、そこで呼出しが完了する（例えば、その意図した目的地に呼出しをルーティングすることで処理される）場合、プロセスは終了する。ステップ２０７で、呼出しが周辺装置に向けられる場合、プロセスはステップ２１１に続き、そこで呼出しがステップ２０５で呼出しルーティング命令に示された周辺装置１０９にルーティングされる。その後、周辺装置１０９は、ステップ２１３でこの特定の呼出しに対して、プリペイド電話の認可のような指定された機能を実行する。呼出しはステップ２１５でＭＳＣにルーティングされ、プロセスはステップ２０３に続く。プロセスのループ（ステップ２０３〜２１５）を終えるたびに、ＭＳＣはステップ２１３で呼出しと相互作用した適当な最後の周辺装置を示す。それによって、のちにＨＬＲが複数の異なる周辺装置を通って呼出しを連続して送ることができるように、ＨＬＲはプロセス中のどこに呼出しがあるかを通知される。ＭＳＣ１０１およびＨＬＲ１０７は図２のフローチャートでステップを実行するために適切に修正されるが、この特定のプロセスは周辺装置１０９，１１１，１１３のいかなる改変にも関与しない。
【００１４】
本発明の別の特徴は、ある値（好ましい実施形態では０）にＰＳＩをセットする能力である。０という値は、現在の呼出しのためのすべてのさらなる周辺装置インタラクションを省略することをＨＬＲに示す。両方のモバイルが同じ周辺装置によって提供されるサービスを持っており該サービスが１回の相互作用で実行できるモバイル対モバイルの呼出しのような何らかの理由の場合、周辺装置インタラクションが万が一生じた後でも呼出しルーティングが続くように、ＨＬＲは周辺装置に関するすべてのさらなるルーティング命令をすべて省略するか無視するように命令される。この演算の利点は、トランク資源を保存し、呼出しセットアップ時間を短縮することである。
【００１５】
本発明の任意選択の特徴は、呼出しにおいて周辺装置を有効に数える順序付け（ｓｅｑｕｅｎｃｉｎｇ ｏｒ ｏｒｄｅｒｉｎｇ）スキームに関する。例えば、３つの周辺装置１０９，１１１，１１３ならば、プリペイド開始発呼者、電話盗聴、選択的呼出し受入れのような３つの特徴をそれぞれが行う。好ましい実施形態では、ＨＬＲ１０７は、周辺装置が呼出しの間に呼出される順序で、該周辺装置の順序を割当てる。例えば、プリペイド開始発呼者の特徴を提供する第１の装置１０９は、３というＰＳＩを有する。電話盗聴の特徴を提供する第２の装置１１１は、２というＰＳＩを有する。また、選択的呼出し受入れを提供する第３の装置１１３は、１というＰＳＩを有する。図２のループを終えるたび、ＨＬＲ１０７は、呼出し中に相互作用する次の周辺装置を容易に決定するために１だけＰＳＩを減少すべきことを知る。ＭＳＣによって戻されたＰＳＩが１に達すると、ＨＬＲ１０７は最後の周辺装置１１３が呼出しを処理したことを知る。代わりに、装置を増加する順序で順序付け、図２のループを終えるたびに、ＨＬＲは、次の装置を決定するために１だけＰＳＩを増加させてもよい。個々の遠隔ユニットの所定の定数に到達すると、ＨＬＲ１０７は最後の周辺装置１１３が呼出しを処理したことを知る。この特徴は簡単ではあるが効率的なソフトウェアコーディングを提供する。好ましい実施形態では、周辺装置１０９，１１１，１１３が、遠隔ユニットの（つまり加入者の）記録に設けられる順序に呼出しまたはアクセスされる。ＨＬＲが呼出しルーティング命令に対する要求を受取る場合、ＨＬＲ１０７は要求中に含まれるいかなるＰＳＩも調べ、すべての周辺装置（すなわち該周辺装置が提供するサービス）が呼び出されるまで、順序付けたリストで次の周辺装置を呼び出す。従って、周辺装置の順序は連続する必要はなく、つまり呼出し順序はＰＳＩ２、ＰＳＩ１およびＰＳＩ３であってもよい。
【００１６】
複数の周辺装置への呼出しをルーティングする方法を示すフローチャートまたはバウンスチャートが、図３に示される。フローチャートは、ＰＳＴＮ１０５、ＨＬＲ１０７、ＭＳＣ１０１、２つの周辺装置１０９，１１１の間のメッセージ交換を示す。第１のメッセージ３０１は呼出しの受取人のための曖昧でない番号を表す被呼者番号（すなわちモバイル登録番号）（ＭＤＮ）を含むインバウンド呼出しセットアップメッセージである。示された例において、第１のメッセージ２０１は、基地局からＰＳＴＮ１０５を介して遠隔局１０３へ送られる呼出しの開始である。第１のメッセージ３０１はＰＳＴＮ１０５からＭＳＣ１０１に送られる。呼出しセットアップメッセージに応答して、メッセージ３０３においてＭＳＣ１０１は呼出しルーティング要求と周辺装置の活動の不在表示をＨＬＲ１０７に送信する。周辺装置の不在表示は、周辺装置がまだ呼出しと相互作用していないことをＨＬＲに伝えるものであり、好ましい実施形態では、ＰＳＩの関与がないことを示す値のＰＳＩを送ることにより遂行される。好ましい実施形態では、ＰＳＩを送らないことにより周辺装置の不在表示が達成され、ＨＬＲ１０７はメッセージ交換シーケンスでＰＳＩを見ることを期待するため、ＨＬＲ１０７はＰＳＩの欠如を以前の周辺装置の関与がないものとして解釈する。
【００１７】
呼出しルーティング要求の受取に際して、ＨＬＲ１０７は呼出しに対する意図した通信ユニット１０３に周辺サービスが提供されているかどうかを決定する。図３で示された例において、意図した遠隔ユニット１０３には２つの周辺サービスが提供されている。呼出しに関して提供される最初の周辺サービスは、ＰＳＩ＝２のプリペイドサービス認可であり、提供される次のサービスはＰＳＩ＝１の選択的な呼出し受入れである。プロセスのこの時点で、周辺装置の活動の不在表示がＨＬＲ１０７によって受取られ、ＨＬＲは提供すべき最初の周辺サービスのＰＳＩを検索する。ＨＬＲ１０７は、メッセージ３０５で、呼出しを第１の周辺装置１０９に向ける呼出しルーティング命令をＭＳＣ１０１に送る。メッセージ３０５は第１の周辺装置１０９のサービスに関する周辺ルーティング数字をＭＤＮの前に付加する。
【００１８】
このメッセージ３０５の受取に際して、好ましい実施形態ではＭＳＣが、外部ルートを決定するために、戻された周辺ルーティング数字を分析する。外部ルートは、プリペイドサービス認可周辺装置１０９に接続されたトランク群である。ＭＳＣは、ＭＤＮに前付加された周辺ルーティング数字を削除し、トランク群から空きトランクを選択し、アウトバウンドセットアップメッセージ３０７を第１の周辺装置１０９に送ることにより呼出しを周辺装置１０９にルーティングする。メッセージ３０７は被呼者番号としてＭＤＮを含んでいる。周辺装置１０９は自身の機能を実行し、ＭＳＣにインバウンド呼出しセットアップメッセージ３０９を送り、それにより、ＭＳＣ１０１に呼出しをルーティングして戻す。
【００１９】
ＭＳＣは、プリペイドサービス認可周辺装置１０９のトランク群に関連したＰＳＩ（つまりＰＳＩ＝２）を検索し、ＨＬＲ１０７に対する別の呼出しルーティング要求とＰＳＩ＝２の周辺装置表示を含むメッセージ３１１でその情報をＨＬＲ１０７に送る。ＰＳＩが以前にアクセスされた周辺装置を示す呼出しルーティング要求でＨＬＲ１０７により受取られていたので、ＨＬＲ１０７はこの遠隔ユニット１０３に提供すべき次の周辺装置を順次選択する。この例において、次の周辺装置は選択的呼出し受入れサービス１１１である。ＨＬＲ１０７はこのサービスに関連する周辺装置数字を検索し、その数字をメッセージ３１３でＭＳＣ１０１に対してＭＤＮの前に付加する。ＭＳＣ１０１は第２の周辺装置１１１に呼出しを向ける呼出しルーティング命令を送る。
【００２０】
命令３１３を受取る際、ＭＳＣ１０１は、外部ルートを決定するために、戻された周辺ルーティング数字を分析する。ＭＳＣは、ＭＤＮに前付加された周辺ルーティング数字を削除し、トランク群から空きトランクを選択し、アウトバウンドセットアップメッセージ３１５を第２の周辺装置１１１に送ることにより呼出しを第２の周辺装置１１１にルーティングする。第２の周辺装置は自身の機能（すなわち呼出しの受取人のための選択的呼出し受入れサービス）を実行し、メッセージ３１７においてＭＳＣ１１１にインバウンド呼出しセットアップを送ることにより、呼出しをＭＳＣ１０１に再びルーティングして戻す。ＭＳＣに呼出しを戻すに際して、ＭＳＣは呼出しルーティング要求とＰＳＩ＝１の周辺装置表示をメッセージ３１９でＨＬＲ１０７に送る。これはトランク群に関連する周辺装置１１１の機能が完了したことを示す。その情報はＨＬＲ１０７に送られる。ＨＬＲがこの特定ユーザに関するＨＬＲリスト上の最後の周辺装置表示を受取ったので、ＨＬＲ１０７はこの呼出しに対して提供される周辺サービスがもはや存在しないことを決定し、この呼出しでの周辺装置の関与の終了を示す呼出しルーティング命令をメッセージ３２１でＭＳＣ１０１に送る。その後、当該技術分野で知られているような様式で、ＭＳＣは呼出し処理を完了する。
【００２１】
本発明はユーザまたは加入者に基づく方式で呼出しに関する複数の周辺装置へのアクセスをより柔軟に制御するアルゴリズムを提供する。周辺装置はＨＬＲ処理を短縮しかつ簡単にする戦略的な順序で順序付けされる。ＰＳＩはＨＬＲに対し、１つの呼出し中に複数の周辺装置が呼び出される順序を追跡かつ制御する方法を供給する。本発明によって提供されるこの制御と柔軟性のレベルは、以前の永久接続またはソースグループルーティング技術を用いても達成できない。ＡＮＳＩ−４１プロトコルは１回の呼出しに関して複数の周辺装置へのアクセスを提供しないため、本発明はそのような規格における欠点を補っている。本発明の方法は、ＨＬＲと周辺装置の間の通信やそのような通信を提供するのに必要な接続および帯域幅を必要としない、複数の周辺装置への呼出しのルーティングを提供する。柔軟ではあるが有用なアルゴリズムを提供する一方で、本発明は特にコード列の観点で、実施が簡単かつ安価である。
【００２２】
本発明は、その精神または本質的特性から逸脱せずに、他の特定の形式で具現化され得る。上述の実施形態は、すべての点で、例証的なものにすぎず、限定的なものではないものとみなす。従って本発明の範囲は、上記の説明によってではなく特許請求の範囲によって示される。請求項の均等の意味および範囲内に包含される変更はすべて特許請求の範囲の範囲内に包含されるものとする。
【図面の簡単な説明】
【図１】本発明による通信システムのブロック図。
【図２】本発明による複数の周辺装置への呼出しをルーティングする方法を示すフローチャート。
【図３】本発明による複数の周辺装置への呼出しをルーティングする方法を示すフローチャート。
【図１】
2004503155.tif 000003
【図２】
2004503155.tif 000004
【図３】
2004503155.tif 000005
【国際公開パンフレット】
2004503155.tif 000006
2004503155.tif 000007
2004503155.tif 000008
2004503155.tif 000009
2004503155.tif 000010
2004503155.tif 000011
2004503155.tif 000012
2004503155.tif 000013
2004503155.tif 000014
2004503155.tif 000015
2004503155.tif 000016
2004503155.tif 000017
2004503155.tif 000018
2004503155.tif 000019
2004503155.tif 000020
2004503155.tif 000021
【国際公開パンフレット（コレクトバージョン）】
2004503155.tif 000022
2004503155.tif 000023
【国際公開パンフレット（コレクトバージョン）】
2004503155.tif 000024
2004503155.tif 000025
【国際調査報告】
2004503155.tif 000026
2004503155.tif 000027
2004503155.tif 000028